(57)【要約】【課題】  抽出後の経過時間の表示ができるような保温時間の表示方法および装置を提供する。【解決手段】  抽出信号がＯＦＦとなってから、チャンバー内の液体が出終わる時間を予め決めておき、それを設定値として記憶させる滴下時間設定ステップと、前記設定値まで時間が経過したとき、表示部に抽出終了を表示する表示ステップと、抽出終了後からの経過時間を保温時間として表示する表示ステップとを含む。また、これに続いて、飲料抽出機の抽出チャンバーの直下にポットが有か否かの判断をするポット検出ステップと、これがＹＥＳなら、設定保温時間経過の判断をするステップと、これがＮＯなら、保温時間の表示を消すステップとを含む。【選択図】        図２
2005185582.tif 000002
【特許請求の範囲】
【請求項１】
抽出信号がＯＦＦとなってから、チャンバー内の液体が出終わる時間を予め決めておき、それを設定値として記憶させる滴下時間設定ステップと、前記設定値まで時間が経過したとき、表示部に抽出終了を表示する表示ステップと、抽出終了後からの経過時間を保温時間として表示する表示ステップとを含むことを特徴とする飲料抽出機の保温時間表示方法。
【請求項２】
抽出信号がＯＦＦとなってから、チャンバー内の液体が出終わる時間を予め決めておき、それを設定値として記憶させる滴下時間設定ステップと、前記設定値まで時間が経過したとき、表示部に抽出終了を表示する表示ステップと、抽出終了後からの経過時間を表示する表示時間を予め定める保温表示時間設定ステップと、抽出終了後からの経過時間を保温時間として表示する表示ステップと、飲料抽出機の抽出チャンバーの直下にポットが有か否かの判断をするポット検出ステップと、これがＹＥＳなら、設定保温時間経過の判断をするステップと、これがＮＯなら、前記保温時間の表示を消すステップとを含むことを特徴とする飲料抽出機の保温時間表示方法。
【請求項３】
抽出信号がＯＦＦとなってから、チャンバー内の液体が出終わる時間を予め決めておき、それを設定値として記憶させる滴下時間設定手段と、前記設定値まで時間が経過したとき、表示部に抽出終了を表示する表示手段と、抽出終了後からの経過時間を保温時間として表示する表示時間を予め定める保温表示時間設定手段と、抽出終了後からの経過時間を保温時間として表示する表示手段と、飲料抽出機の抽出チャンバーの直下にあるポットを検知するポット検出手段と、飲料抽出機の抽出チャンバーの直下にポットが有か否かの判断をするポット判断手段と、設定保温時間経過の判断をする保温判断手段とを含むことを特徴とする飲料抽出機の保温時間表示装置。
【発明の詳細な説明】
【技術分野】
【０００１】
本発明は、飲料抽出機の保温時間の表示方法および装置に関するものである。
【背景技術】
【０００２】
従来の飲料抽出機では、抽出部のチャンバーに被抽出物（例えばコーヒー粉）が入れられ、その上から熱湯が注がれて、チャンバーから滴下した抽出液はその直下に置かれた保温ポットに溜められる。
【発明の開示】
【発明が解決しようとする課題】
【０００３】
しかしながら、保温ポットに入れられて時間が経過すると、飲料の味，風味，香りなどが劣ってくる。
本発明の目的は、抽出後の経過時間の表示ができるような保温時間の表示方法および装置を提供することを目的とする。
【課題を解決するための手段】
【０００４】
本発明の方法の第１は、抽出信号がＯＦＦとなってから、チャンバー内の液体が出終わる時間を予め決めておき、それを設定値として記憶させる滴下時間設定ステップと、前記設定値まで時間が経過したとき、表示部に抽出終了を表示する表示ステップと、抽出終了後からの経過時間を保温時間として表示する表示ステップとを含むことを特徴とする。
【０００５】
本発明の方法の第２は、抽出信号がＯＦＦとなってから、チャンバー内の液体が出終わる時間を予め決めておき、それを設定値として記憶させる滴下時間設定ステップと、前記設定値まで時間が経過したとき、表示部に抽出終了を表示する表示ステップと、抽出終了後からの経過時間を表示する表示時間を予め定める保温表示時間設定ステップと、抽出終了後からの経過時間を保温時間として表示する表示ステップと、飲料抽出機の抽出チャンバーの直下にポットが有か否かの判断をするポット検出ステップと、これがＹＥＳなら、設定保温時間経過の判断をするステップと、これがＮＯなら、前記保温時間の表示を消すステップとを含むことを特徴とする。
【０００６】
本発明の装置は、抽出信号がＯＦＦとなってから、チャンバー内の液体が出終わる時間を予め決めておき、それを設定値として記憶させる滴下時間設定手段と、前記設定値まで時間が経過したとき、表示部に抽出終了を表示する表示手段と、抽出終了後からの経過時間を保温時間として表示する表示時間を予め定める保温表示時間設定手段と、抽出終了後からの経過時間を保温時間として表示する表示手段と、飲料抽出機の抽出チャンバーの直下にあるポットを検知するポット検出手段と、飲料抽出機の抽出チャンバーの直下にポットが有か否かの判断をするポット判断手段と、設定保温時間経過の判断をする保温判断手段とを含むことを特徴とする。
【発明の効果】
【０００７】
本発明により、抽出後の経過時間の表示ができるようになり、抽出後での飲料の味，風味，香りなどの劣化の目安となる。
【発明を実施するための最良の形態】
【０００８】
以下に本発明の実施態様を図面に示す一実施例に基づき説明する。図１は本発明方法を実施する表示装置の一例を示す。この装置は図示のとおり中央処理部１を中心にして、これに記憶部２、滴下時間設定器３、保温表示時間設定器４、ポット検出器５、キーボードからなる入力器６をそれぞれ接続し、さらに表示制御部７を介して表示器８を接続したものであり、これらはいずれも飲料抽出機の操作・表示部に設けられている。
【０００９】
中央処理部１はマイクロプロセッサを主体に構成されており、記憶部２はリードオンリーメモリ（ＲＯＭ）およびランダムアクセスメモリ（ＲＡＭ）を含み、中央処理部１の動作手順を規定するプログラムや中央処理部１によって処理されるべきデータを記憶する。ここには入力器６から予めレベル判断にかかわる滴下時間および保温表示時間の判定レベルが記憶させてある。これらの判定レベルは入力器６の操作により変更することができる。
【００１０】
滴下時間設定器３および保温表示時間設定器４は、タイマーによるもので設定時間が経過したとき、その信号を中央処理部１に供給する。ポット検出器５としてリミットスイッチ（図示省略）が飲料抽出機のポット案内壁に設けられ、飲料抽出機の台座にポットが載せられたことを検知する。
【００１１】
表示器８は、この例では液晶表示による２次元画面表示器であり、飲料抽出機の操作・表示部に配置されている。表示器にはこの他、ＣＲＴによるもの等、様々のものを採用できる。
【００１２】
次に、以上説明した表示装置を用いる本発明方法の実施について、中央処理部１の動作を示すフローチャート（図２）を参照して説明する。ここで、本発明方法実施に先立って入力器６により、滴下時間判定レベルとして例えば  ３分、保温表示時間の判定レベルとして例えば、「１０時間」を記憶部２に設定しておく。
【００１３】
プログラムが開始すると（抽出動作終了信号が入力される）、滴下時間設定器３がＯＮになってタイマー動作がスタートし（ステップＳ１）、滴下時間（３分）経過の判断（ステップＳ２）がＮＯなら、タイマー動作が続く。ＹＥＳになると、「抽出終了」を表示器８で表示し（ステップＳ３）、保温表示時間設定器４がＯＮとなり、「保温時間」を表示器８で表示する（ステップＳ４）。
【００１４】
次にポット有か否かの判断（ステップＳ５）がＹＥＳなら、設定保温時間経過の判断をする（ステップＳ６）。これががＹＥＳなら、「保温時間」表示を消す（ステップＳ７）となり、表示器８の表示が消えて、終了する。ステップＳ６の設定保温時間経過がＮＯなら、ポット有か（ステップＳ５）へ戻る。
【００１５】
ポット有か（ステップＳ５）がＮＯなら、「保温時間」表示を消す（ステップＳ７）となり、表示器８の表示が消えて、終了する。
【００１６】
本発明は前記した実施例や実施態様に限定されず、特許請求の範囲および範囲を逸脱せずに種々の変形を含む。
【産業上の利用可能性】
【００１７】
本発明は、飲料抽出機の保温時間の表示方法および装置に利用される。
【図面の簡単な説明】
【００１８】
【図１】本発明の一実施例のブロック図である。
【図２】中央処理部の動作を示すフローチャートである。
【符号の説明】
【００１９】
１  中央処理部
２  記憶部
３  滴下時間設定器
４  保温表示時間設定器
５  ポット検出器
６  入力器
７  表示制御部
８  表示器
【図１】
2005185582.tif 000003
【図２】
2005185582.tif 000004